(57)【要約】  【課題】  記録媒体に付着したインクの色材成分に対して余分な外力を与えないようにして、画像品質の劣化を防止又は低減すること。  【解決手段】  色材を液体の溶媒に溶解又は分散してなるインクを記録媒体に打滴するインク打滴ヘッド１２と、記録媒体上で色材を溶媒と分離させる処理液を記録媒体に打滴する処理液打滴ヘッド１６（処理液付着手段）と、記録媒体上の溶媒を記録媒体から吸収する溶媒吸収部１８０と、記録媒体上の溶媒を気化させる溶媒気化部１９０と、溶媒吸収部１８０を用いて吸収した後に溶媒気化部１９０を用いて気化することによって記録媒体上の溶媒を除去するか、あるいは溶媒吸収部１８０を用いないで溶媒気化部１９０を用いて気化することによって記録媒体上の溶媒を除去するかを選択する溶媒除去選択部２１０を備えた。なお、処理液の記録媒体への付着は、打滴して行う代わりに処理液を記録媒体に塗布することにより行うようにしてもよい。【選択図】  図１
2006212881.tif 000002
【特許請求の範囲】
【請求項１】
色材を液体の溶媒に溶解又は分散してなるインクを記録媒体に打滴するインク打滴手段と、
前記記録媒体上で前記色材を前記溶媒と分離させる処理液を前記記録媒体に付着させる処理液付着手段と、
前記記録媒体上の前記溶媒を前記記録媒体から吸収する溶媒吸収手段と、
前記記録媒体上の前記溶媒を気化させる溶媒気化手段と、
前記溶媒吸収手段を用いて吸収した後に前記溶媒気化手段を用いて気化させることによって前記記録媒体上の前記溶媒を除去するか、あるいは前記溶媒吸収手段を用いないで前記溶媒気化手段を用いて気化させることによって前記記録媒体上の前記溶媒を除去するかを選択する溶媒除去選択手段と、
を備えたことを特徴とする画像形成装置。
【請求項２】
前記処理液付着手段は、前記処理液を前記記録媒体に打滴又は塗布することにより前記処理液を前記記録媒体に付着させることを特徴とする請求項１に記載の画像形成装置。
【請求項３】
前記記録媒体に形成される画像データに基づいて、前記記録媒体に付着する前記インクの量及び前記記録媒体に付着する前記処理液の量の少なくとも一方を算出する算出手段を備え、
前記溶媒除去選択手段は、前記算出手段により算出された量に基づいて前記選択を行うことを特徴とする請求項１又は２に記載の画像形成装置。
【請求項４】
前記溶媒除去選択手段は、前記記録媒体への前記インクの浸透速度に基づいて前記選択を行うことを特徴とする請求項１乃至３のいずれかに記載の画像形成装置。
【請求項５】
前記記録媒体の識別情報が入力される媒体情報入力手段と、
前記記録媒体の種類ごとに前記記録媒体の識別情報と前記記録媒体への前記インクの浸透の程度を示す情報とを関連付けて記憶する記憶手段と、
を備え、
前記溶媒除去選択手段は、前記媒体情報入力手段に入力された識別情報と前記記憶手段に記憶された情報とに基づいて前記選択を行うことを特徴とする請求項１乃至３のいずれかに記載の画像形成装置。
【請求項６】
前記溶媒吸収手段は、前記記録媒体が搬送される搬送路に回転可能に配設され、液体を吸収する吸収部材からなる外周面を有するローラであり、
前記溶媒除去選択手段は、前記搬送路に搬送される前記記録媒体と前記ローラの外周面との離接を制御することを特徴とする請求項１乃至５のいずれかに記載の画像形成装置。
【発明の詳細な説明】
【技術分野】
【０００１】
本発明は画像形成装置に係り、特にインクを記録媒体に対して打滴することにより記録媒体上に画像を形成する画像形成装置に関する。
【背景技術】
【０００２】
インクジェット方式の画像形成装置は、多数のノズル（孔）を配列させたインク打滴ヘッドと紙などの記録媒体とを相対的に移動させながら、ノズルから記録媒体に向けてインクを打滴することにより、記録媒体上に画像を形成するようになっている。
【０００３】
近年、画像形成装置のノズルを高密度化することによる画像品質の向上が図られており、記録媒体に向けて打滴されるインクの量が増大してきている。このような画像形成装置において使用されるインクは、一般に、水や有機溶媒等の液体の溶媒成分を多く含んでいる。
【０００４】
ところで、記録媒体がその内部にインクを浸透させる浸透媒体である場合には、記録媒体に付着したインク中の溶媒成分が十分に除去されないと、記録媒体内にインクが浸透していく過程で、ドットの径が所定の径よりも大きくなってしまったり、ドットの周囲の境界部分がぼやけてしまったり、ドットの拡がりが不均一になったり、あるいは、ドットの形状がひげ形状になってしまうという、いわゆる「滲み」が発生してしまう。
【０００５】
また、記録媒体が主としてその表面でインクを定着させる非浸透媒体である場合にも、記録媒体に付着したインク中の溶媒成分が十分に除去されないと、インク中の色材成分が記録媒体の表面で安定して定着できないことになる。
【０００６】
そこで、記録媒体上に着弾したインクから液体の溶媒を除去するようにした各種の画像形成装置が提案されている。
【０００７】
特許文献１には、記録媒体を加熱するハロゲンヒータ（加熱手段）をインク打滴ヘッドに対向するプラテンの下部に配置し、ひとつのハロゲンヒータにより、画像記録前、画像記録前中及び画像記録前後に、記録媒体の加熱を行い得るようにした画像形成装置が記載されている。
【０００８】
特許文献２には、記録媒体の搬送方向におけるインク打滴ヘッドの下流に配置したローラであって、記録媒体に付着したインク中の液体の溶媒を吸収する溶媒吸収部材、及び、インク中の色材がほとんど付着しない性質（離型性）を有した離型部材からなるローラを備えた画像形成装置が記載されている。
【特許文献１】特開平１０−８６３５３号公報（特に、図９）
【特許文献２】特開２００１−１７９９５９号公報（特に、図１、明細書の第００１２欄及び第００１３欄）
【発明の開示】
【発明が解決しようとする課題】
【０００９】
しかし、記録媒体を加熱することにより記録媒体上の溶媒成分を除去するようにした場合には、たとえ画像記録前、画像記録中、及び、画像記録後に記録媒体の加熱を行ったとしても、インクが記録媒体に付着してから記録媒体が実際に乾燥するまでにどうしても時間を要してしまう上に、そのような加熱に要する電力消費量が常に大きくなってしまうことになる。
【００１０】
一方で、ローラに記録媒体上の溶媒成分を吸収させるようにした場合には、ローラが記録媒体上の色材成分等にどうしても接触することにより、記録媒体に定着しようとする色材成分等に余分な外力が加わってしまうことになり、記録媒体上の画像に乱れが生じてしまう。
【００１１】
なお、特許文献２に記載のものは、特に記録媒体が非浸透媒体の場合、色材が記録媒体に未定着の状態で色材がローラの離型部材と反発してしまい、画像が乱れることになる。ローラの離型部材の離型性が不完全である場合や、そのような離型部材を省略した外周面が溶媒吸収部材からなるローラを用いた場合であっても、溶媒成分を十分に除去しようとすると、色材がローラに付着してしまい、いずれにしろ画像が乱れることになる。
【００１２】
本発明はこのような事情に鑑みてなされたもので、記録媒体に付着したインクの色材成分に対して余分な外力を与えないようにして、画像品質の劣化を防止又は低減できる画像形成装置を提供することを目的とする。
【課題を解決するための手段】
【００１３】
前記目的を達成するために、請求項１に記載の発明は、色材を液体の溶媒に溶解又は分散してなるインクを記録媒体に打滴するインク打滴手段と、前記記録媒体上で前記色材を前記溶媒と分離させる処理液を前記記録媒体に付着させる処理液付着手段と、前記記録媒体上の前記溶媒を前記記録媒体から吸収する溶媒吸収手段と、前記記録媒体上の前記溶媒を気化させる溶媒気化手段と、前記溶媒吸収手段を用いて吸収した後に前記溶媒気化手段を用いて気化させることにより前記記録媒体上の前記溶媒を除去するか、あるいは前記溶媒吸収手段を用いないで前記溶媒気化手段を用いて気化させることにより前記記録媒体上の前記溶媒を除去するかを選択する溶媒除去選択手段を備えた構成になっている。
【００１４】
ここで、インクには、液体の溶媒に色材が分子の状態（イオンの状態であってもよい）で溶解している染料インク、液体の溶媒に色材が微小な塊の状態で分散している顔料インクなどがある。
【００１５】
また、処理液は、具体的には、色材が液体の溶媒に溶解又は分散している状態を脱した状態となるように作用する液体である。例えば、色材と反応して色材を析出あるいは凝集させることにより色材を溶媒と分離する処理液、色材と直接的には反応しないが色材と溶媒との分離を促進させる効能を有する処理液、色材を含む半固体状の物質（ゲル）を生成することによりインク中の色材を溶媒と分離する処理液などがある。
【００１６】
処理液付着手段は、請求項２に記載のように、例えば、処理液を記録媒体に打滴又は塗布することにより前記処理液を前記記録媒体に付着させるものである。
【００１７】
この構成により、溶媒吸収手段により初期の溶媒除去を迅速に行った後に溶媒気化手段により仕上げの溶媒除去を非接触で行い得るとともに、溶媒吸収手段による吸収を行わないで溶媒気化手段による気化のみにより溶媒除去を行い得るので、記録媒体に付着したインクの色材成分に対して余分な外力を与えないで、画像品質の劣化を防止又は低減できる。
【００１８】
請求項３に記載の発明は、請求項１又は２に記載の発明において、前記記録媒体に形成される画像データに基づいて、前記記録媒体に付着する前記インクの量及び前記記録媒体に付着する前記処理液の量の少なくとも一方を算出する算出手段を備え、前記溶媒除去選択手段は、前記算出手段により算出された量に基づいて前記選択を行う構成になっている。
【００１９】
この構成によって、多様な画像データが入力される画像形成条件において、実際に記録媒体に形成される画像データに応じて、液体量が多い場合には溶媒吸収手段により初期の溶媒除去を迅速に行った後に溶媒気化手段により仕上げの溶媒除去を非接触で行うことができる一方で、液体量が少ない場合には溶媒吸収手段による吸収を行わないで溶媒気化手段による気化のみにより溶媒除去を行うように切り替わることになり、多様な画像データにそれぞれ対応して記録媒体に付着したインクの色材成分に対して余分な外力を与えないで、画像品質の劣化を防止又は低減できる。
【００２０】
請求項４に記載の発明は、請求項１乃至３のいずれかに記載の発明において、前記溶媒除去選択手段は、前記記録媒体への前記インクの浸透速度に基づいて前記選択を行う構成になっている。
【００２１】
この構成によって、インクの浸透速度に応じて、溶媒吸収手段により色材成分に影響を与えない程度の初期の溶媒除去を迅速に行った後に溶媒気化手段により仕上げの溶媒除去を非接触で行うか、あるいは、溶媒吸収手段による吸収を行わないで溶媒気化手段による気化のみにより溶媒除去を行うかが切り替わることになり、インクの浸透速度に応じて記録媒体に付着したインクの色材成分に対して余分な外力を与えないで、画像品質の劣化を防止又は低減できる。
【００２２】
請求項５に記載の発明は、請求項１乃至３のいずれかに記載の発明において、前記記録媒体の識別情報が入力される媒体情報入力手段と、前記記録媒体の種類ごとに前記記録媒体の識別情報と前記記録媒体への前記インクの浸透の程度を示す情報とを関連付けて記憶する記憶手段と、を備え、前記溶媒除去選択手段は、前記媒体情報入力手段に入力された識別情報と前記記憶手段に記憶された情報とに基づいて前記選択を行う構成になっている。
【００２３】
この構成によって、複数種類の記録媒体を扱う画像形成条件において、実際に画像形成される記録媒体に応じて、溶媒吸収手段により色材成分に影響を与えない程度の初期の溶媒除去を迅速に行った後に溶媒気化手段により仕上げの溶媒除去を非接触で行うか、あるいは、溶媒吸収手段による吸収を行わないで溶媒気化手段による気化のみにより溶媒除去を行うかが切り替わることになり、多種の記録媒体にそれぞれ対応して記録媒体に付着したインクの色材成分に対して余分な外力を与えないで、画像品質の劣化を防止又は低減できる。
【００２４】
請求項６に記載の発明は、請求項１乃至５のいずれかに記載の発明において、前記記録媒体が搬送される搬送路に回転可能に配設され、液体を吸収する吸収部材からなる外周面を有するローラであり、前記溶媒除去選択手段は、前記搬送路に搬送される前記記録媒体と前記ローラの外周面との離接を制御する構成になっている。
【００２５】
この構成によって、溶媒吸収が必要な場合には初期の溶媒除去をローラの回転により高速に行うことができ、また、搬送路に搬送される記録媒体とローラの外周面とを離接させるという簡易な機構により溶媒吸収を行うか否かの切り替えを行うように構成できることになる。
【発明の効果】
【００２６】
本発明によれば、必要な場合のみ初期の溶媒除去を溶媒吸収により迅速に行った後に仕上げの溶媒除去を溶媒気化により非接触で行うことができるので、記録媒体に付着したインクの色材成分に対して余分な外力を与えないようにして、画像品質の劣化を確実に防止又は低減できる。
【発明を実施するための最良の形態】
【００２７】
以下、添付図面に従って、本発明を実施するための最良の形態について詳細に説明する。
【００２８】
［画像形成装置の全体構成］
図１は、本発明の一実施形態の画像形成装置の全体構成を示すブロック図である。
【００２９】
図１において、本実施形態の画像形成装置１０は、主として、インク打滴ヘッド１２、処理液打滴ヘッド１６（処理液付着手段）、溶媒吸収部１８、溶媒気化部１９、搬送部２６、主制御部１１０、画像データ入力部１１１、メモリ１１２、記録媒体ＩＤ入力部１１３、インクＩＤ入力部１１４、浸透度判定部１１５、付着量算出部１１６、搬送制御部１２６、インク打滴制御部１２０、処理液打滴制御部１６０、及び、溶媒除去選択部２１０、によって構成されている。
【００３０】
インク打滴ヘッド１２は、紙などの記録媒体に対してインクを打滴するものである。
【００３１】
ここで、インクには、液体の溶媒に色材が分子の状態（イオンの状態であってもよい）で溶解している染料インク、液体の溶媒に色材が微小な塊の状態で分散している顔料インクなどがある。言い換えると、インクに含有される色材は、分子の状態（イオンの状態であってもよい）で液体の溶媒に溶解する物質である場合や、微小な塊となった状態で液体の溶媒に分散する物質である場合がある。
【００３２】
処理液打滴ヘッド１６は、記録媒体に対して処理液を打滴するものである。
【００３３】
ここで、処理液は、インク中の色材が液体の溶媒に溶解又は分散している状態を脱して、色材が溶媒と分離した状態に変化するように作用する液体である。
【００３４】
例えば、インク中の色材と反応してインク中の色材を析出あるいは凝集させることによりインク中の色材を溶媒と分離させる処理液、インク中の色材と直接的には反応しないがインク中の色材と溶媒との分離を促進させる効能を有する処理液、インク中の色材を含む半固体状の物質（ゲル）を生成することによりインク中の色材を溶媒と分離させる処理液などが挙げられる。
【００３５】
これらのように、処理液のインクに対する直接的又は間接的な作用により、インク中の色材が液体の溶媒に溶解又は分散している状態を脱することを、以下では「不溶化」と称する。
【００３６】
搬送部２６は、記録媒体を所定の搬送路上で搬送するものである。本実施形態においては、記録媒体を吸引して載置する搬送ベルト、及び、その搬送ベルトを駆動するモータ（搬送ベルト駆動モータ）を含んで構成される。
【００３７】
主制御部１１０は、所定のプログラムに従って画像形成装置１０の各部を統括的に制御するものである。
【００３８】
画像データ入力部１１１は、ホストコンピュータ３００から画像データが入力されるものである。本実施形態において、具体的には、ＵＳＢ（Universal Serial Bus）、ＩＥＥＥ１３９４、イーサネットなどの有線の通信インタフェース、又は、無線の通信インタフェースによって、ホストコンピュータ３００から画像データを受信する。なお、本発明において、画像データの入力態様は、ホストコンピュータ３００との通信により画像データが入力される場合に特に限定されるものではない。例えば、メモリカードや光ディスクなどのリムーバブルメディアから画像データを読み込むことにより画像データが入力されるようにしてもよい。
【００３９】
メモリ１１２は、画像形成処理用のプログラム、そのプログラムの実行に必要な各種の情報、ホストコンピュータ３００から入力された画像データなどを記憶するものである。
【００４０】
本実施形態において、メモリ１１２は、特に、記録媒体へのインクの浸透の程度を判定するための基準となる情報（判定基準情報）を記憶する。なお、判定基準情報には各種あり、このような各種の判定基準情報については後述する。
【００４１】
記録媒体ＩＤ入力部１１３は、記録媒体の種類を識別する記録媒体ＩＤ（記録媒体の識別情報）が入力されるものである。本実施形態において、具体的には、画像形成装置１０に装着及び脱着が可能であって、記録媒体を収納した記録媒体収納ユニット（図示を省略）から記録媒体ＩＤを読み取るようになっている。例えば、バーコードとして付与された記録媒体ＩＤを読み取る、ＩＣタグ（ＲＦＩＤ：Radio Frequency Identificationともいう）から無線で記録媒体ＩＤを読み取る、などの入力態様がある。記録媒体それ自体から記録媒体ＩＤを読み取るようにしてもよい。また、ホストコンピュータ３００との通信により入力されるようにしてもよい。また、ユーザの操作により入力されるようにしてもよい。
【００４２】
インクＩＤ入力部１１４は、インクの種類を識別するインクＩＤ（インクの識別情報）が入力されるものである。本実施形態において、具体的には、画像形成装置１０に装着及び脱着が可能であって、インクを収納したインクカートリッジ（図示を省略）からインクＩＤを読み取るようになっている。例えば、バーコードとして付与されたインクＩＤを読み取る、ＩＣタグから無線でインクＩＤを読み取る、などの入力態様がある。また、ホストコンピュータ３００との通信により入力されるようにしてもよい。また、ユーザの操作により入力されるようにしてもよい。
【００４３】
浸透度判定部１１５は、記録媒体へのインクの浸透の程度を判定するものである。なお、判定態様には各種あり、このような各種の判定態様については後述する。
【００４４】
付着量算出部１１６は、画像データ入力部１１１に入力された画像データに基づいて、インク打滴ヘッド１２により記録媒体に付着するインクの量と、処理液打滴ヘッド１６により記録媒体に付着する処理液の量とを算出する。なお、画像データ入力部１１１に入力された画像データに対して画像形成装置１０において編集を行う場合には、その編集後の画像データ（すなわち画像形成に係る画像データ）に基づいて付着量を算出する。
【００４５】
搬送制御部１２６は、搬送部２６を制御するものである。具体的には、搬送部２６を構成する搬送ベルトへの記録媒体の吸着や、その搬送ベルトの駆動などを行う。
【００４６】
また、搬送制御部１２６は、記録媒体の搬送速度を切り換えることにより、記録媒体と溶媒吸収部１８との単位面積当たりの接触時間を切り換えるようになっている。
【００４７】
インク打滴制御部１２０は、画像形成に係る画像データに基づいて、インク打滴ヘッド１２による記録媒体へのインクの打滴を制御するものである。
【００４８】
処理液打滴制御部１６０は、画像形成に係る画像データに基づいて、処理液打滴ヘッド１６による記録媒体への処理液の打滴を制御するものである。
【００４９】
溶媒吸収部１８は、処理液及びインクが付着した記録媒体から液体を直接的に吸収するものである。ここで、吸収により記録媒体から除去される液体は、主として、処理液の作用により記録媒体上でインクの色材と分離した溶媒である。処理液が記録媒体上に残る場合、その記録媒体上の処理液も吸収する。
【００５０】
溶媒気化部１９は、記録媒体に非接触で、その記録媒体上の液体を気化させるものである。ここで、気化により記録媒体から除去される液体は、主として、処理液の作用により記録媒体上でインクの色材と分離した溶媒である。処理液が記録媒体上に残る場合、その記録媒体上の処理液も気化させる。
【００５１】
溶媒除去選択部２１０は、溶媒吸収部１８を用いて吸収した後に溶媒気化部１９を用いて気化させることによって記録媒体上の溶媒を除去するか、あるいは溶媒吸収部１８を用いないで溶媒気化部１９を用いて気化させることによって記録媒体上の溶媒を除去するかを選択するものである。
【００５２】
例えば、溶媒気化部１９による気化量が最大打滴量Ｄmaxの半分（Ｄmax/2）であって、打滴量が最大打滴量Ｄmaxであるときには、半分（Ｄmax/2）の溶媒の除去を溶媒吸収部１８の溶媒吸収により迅速に行い、残り半分（Ｄmax/2）の溶媒の除去を溶媒気化部１９の溶媒気化により記録媒体に非接触で行う。
【００５３】
また、溶媒除去選択部２１０は、記録媒体と溶媒吸収部１８との間隔（クリアランス）を切り換えるようになっている。また、溶媒除去選択部２１０は、記録媒体に対する溶媒吸収部１８の押し当て圧力を制御する機能も有する。
【００５４】
なお、本実施形態において、主制御部１１０、浸透度判定部１１５、付着量算出部１１６、インク打滴制御部１２０、搬送制御部１２６、処理液打滴制御部１６０は、その全部又は部分がマイクロプロセッサによって構成されている。
【００５５】
図２は、本実施形態の画像形成装置１０の要部の機構的な構成の例を示す模式図である。
【００５６】
図２において、記録媒体２０は、図１の搬送部２６の一部を構成する搬送ベルト４３によって吸着され、図２中の矢印Ａの方向（搬送方向）に搬送されるようになっている。このように搬送ベルト４３によって記録媒体２０が吸着されて搬送される搬送路上において、処理液打滴ヘッド１６はインク打滴ヘッド１２の上流に配設されている。一方で、インク打滴ヘッド１２の下流には、図１の溶媒吸収部１８を構成する多孔質ローラ１８が配設されている。さらに、多孔質ローラ１８の下流には、図１の溶媒気化部１９を構成するハロゲンヒータ１９が配設されている。
【００５７】
尚、図２では省略したが、インク打滴ヘッド１２は、黒（Ｋ）、シアン（Ｃ）、マゼンタ（Ｍ）、イエロ（Ｙ）等の複数の色のヘッドがある。
【００５８】
多孔質ローラ１８は、回転体であり、その内部を構成する金属部材７０の外周面に、液体を吸収する薄層の多孔質部材７２が形成された構造を有する。
【００５９】
多孔質ローラ１８は、図２中の矢印Ｂの方向（離接方向）において上下することにより、その外周面（多孔質部材７１の表面である）が搬送ベルト４３の搬送面に対して離隔及び接近するようになっている。
【００６０】
多孔質ローラ１８は、搬送ベルト４３に接近した状態で、図２中の矢印Ｃの方向（回転方向）に回転しながら、記録媒体２０上の液体を吸収する。このとき、少なくとも記録媒体２０上の溶媒に接触しながらその溶媒を吸収する。
【００６１】
多孔質ローラ１８の搬送ベルト４３に対する離接を精度良く制御することにより、多孔質ローラ１８の最下部と記録媒体２０との間に微小な隙間を形成し、多孔質ローラ１８が記録媒体２０それ自体には実際には接触することなく、その記録媒体２０上の溶媒のみに接触するようにしてもよい。
【００６２】
以下では、説明を簡略に行うため、多孔質ローラ１８が記録媒体２０それ自体に実際に接触している状態だけでなく、多孔質ローラ１８が記録媒体２０それ自体には接触していなくても記録媒体２０に付着した溶媒に接触している状態を含めて、記録媒体２０への「接触」ということにする。
【００６３】
なお、本発明において、溶媒吸収手段は、多孔質ローラに特に限定されるものではないが、記録媒体上の色材にあまり圧力を与えることなく、かつ、記録媒体上の液体を迅速に除去可能な材質からなる吸収部材を用いる。
【００６４】
また、本発明において、溶媒気化の態様は、ハロゲンヒータ１９を用いて加熱により気化させる態様に特に限定されるものではないが、記録媒体に非接触で溶媒を気化させるものを用いる。例えば、記録媒体２０の画像形成面に対して風を当てることにより記録媒体２０上の液体を蒸発させるようにしてもよい。
【００６５】
〔打滴ヘッドの構造〕
次に、インク打滴ヘッド１２及び処理液打滴ヘッド１６の構造例について、図３及び図４を用いて説明する。
【００６６】
以下では、インク打滴ヘッド１２及び処理液打滴ヘッド１６の構造が共通している場合を例に説明する。これらのインク打滴ヘッド１２及び処理液打滴ヘッド１６を代表して、符号５０によって両打滴ヘッド１２、１６を示すものとする。
【００６７】
図３は、打滴ヘッド５０の構造例を示す平面透視図である。また、図４は、図３中の４−４線に沿う断面図である。
【００６８】
ところで、記録媒体２０上にインクが打滴されて形成されるドットを高密度化するためには、打滴ヘッド５０におけるノズルを高密度化する必要がある。
【００６９】
本実施形態の打滴ヘッド５０は、図３に示すように、液滴の吐出口であるノズル５１、各ノズル５１に対応する圧力室５２、供給口５４等からなる複数の液滴吐出素子５３を、千鳥状で２次元的に配置させた構造を有し、これにより、打滴ヘッド５０の長手方向（記録媒体の搬送方向と略直交する方向）沿って並ぶように投影される実質的なノズル間隔（投影ノズルピッチ）の高密度化を達成している。
【００７０】
図４に示すように、圧力室５２は供給口５４を介して共通流路５５と連通されている。共通流路５５はインク（又は処理液）の供給源たるタンク（図示を省略）と連通しており、そのタンクから供給されるインク（又は処理液）は図４の共通流路５５を介して各圧力室５２に分配供給される。圧力室５２の天面を構成している加圧板（共通電極）５６には個別電極５７を備えたアクチュエータ５８が接合されており、個別電極５７と共通電極５６に駆動電圧を印加することによってアクチュエータ５８が変形して圧力室５２の容積が変化し、これに伴う圧力変化によりノズル５１からインク（又は処理液）が吐出される。なおアクチュエータ５８としては、例えばピエゾ素子などの圧電体が用いられる。吐出後、共通流路５５から供給口５４を介して新しいインク（又は処理液）が圧力室５２に供給される。
【００７１】
なお、処理液打滴ヘッド１６の構造がインク打滴ヘッド１２の構造と共通である場合を例に説明したが、本発明は、処理液打滴ヘッド１６とインク打滴ヘッド１２とを共通の構造にする場合に特に限定されず、異なる構造としてもよい。
【００７２】
〔溶媒吸収部の構造〕
次に、多孔質ローラ１８からなる溶媒吸収部及びその関連部分の構造例について、図５及び図６を用いて説明する。
【００７３】
図５は、記録媒体２０上の液体溶媒の吸収を行うように選択された状態の多孔質ローラ１８を示す斜視図であり、図６は、記録媒体２０上の液体溶媒の吸収を行わないように選択された状態の多孔質ローラ１８を示す斜視図である。
【００７４】
多孔質ローラ１８は、その軸線方向が、記録媒体２０の搬送方向に対して垂直な方向となるように配設されている。
【００７５】
ラック２１１及びピニオン２１２と回転モータ２１３からなる上下動部材２１４は、回転モータ２１３の駆動によるピニオン２１２の回転運動をラック２１１の直線運動に変換することにより、多孔質ローラ１８の回転軸１８３を介して、多孔質ローラ１８の多孔質部材からなる外周面を搬送ベルト４３上の記録媒体２０に対して離間及び接触させるようになっている。
【００７６】
これらのラック２１１及びピニオン２１２と回転モータ２１３からなる上下動部材２１４は、図１の溶媒除去選択部２１０の一部を構成している。
【００７７】
また、多孔質ローラ１８を回転自在に支持するローラ支持部１８５は、多孔質ローラ１８の回転軸１８３を回転自在に軸受けする軸受部１８４を有する。上下動部材２１４により多孔質ローラ１８が記録媒体２０に接触する位置（接触位置）まで下がったとき、ローラ支持部１８５の底面が台座１８６の上面に当接することによって、多孔質ローラ１８はローラ支持部１８５により安定して支持される。
【００７８】
詳細には、図５に示すように、回転モータ２１３の駆動により、ピニオン２１２が図５中の矢印Ｐｄの方向に回転すると、その回転運動が直線運動に変換されて、ラック２１１が図５中の矢印Ｒｄの方向（下方向）に直線的に移動し、回転軸１８３を介して多孔質ローラ１８が図５中の矢印Ｂｄの方向（下方向）に移動して、多孔質ローラ１８の外周面の最下部が記録媒体２０に向けて接近する。また、多孔質ローラ１８が図５中の矢印Ｂｄの方向に移動すると、ローラ支持部１８５の底面が台座１８６の上面に当接し、ローラ支持部１８５は軸受部１８４及び回転軸１８３を介して多孔質ローラ１８を回転自在に支持する。多孔質ローラ１８は、図５中の矢印Ｃの方向に回転しながら、搬送ベルト４３に吸着されて図５中の矢印Ａの方向に搬送されていく記録媒体２０上の溶媒を吸収する。多孔質ローラ１８によって溶媒がある程度吸収された記録媒体２０は、搬送ベルト４３に吸着されたまま溶媒気化を行う位置に向かって搬送されていく。
【００７９】
一方で、図６に示すように、回転モータ２１４の駆動により、ピニオン２１２が図６中の矢印Ｐｕの方向に回転すると、その回動運動が直線運動に変換されて、ラック２１１が図６中の矢印Ｒｕの方向（上方向）に直線的に移動し、回転軸１８３を介して多孔質ローラ１８が図６中の矢印Ｂｕの方向（上方向）に移動して、多孔質ローラ１８の外周面の最下部が記録媒体２０から離間する。すなわち、多孔質ローラ１８は、記録媒体２０からの溶媒吸収を行わない非吸収位置に設定される。また、多孔質ローラ１８が図６中の矢印Ｂｕの方向に移動すると、ローラ支持部１８５の底面と台座１８６の上面との当接が解除される。多孔質ローラ１８の外周面が、搬送ベルト４３の上を図６中の矢印Ａの方向に搬送されていく記録媒体２０から離間しているので、多孔質ローラ１８による溶媒吸収は行われることなく、記録媒体２０は、搬送ベルト４３に吸着されたまま溶媒気化を行う位置に向かって搬送されていく。
【００８０】
回転モータ２１３は図１の主制御部１１０の制御により駆動されるようになっており、この回転モータ２１３の駆動に応じて、搬送ベルト４３に吸着された記録媒体２０に対して多孔質ローラ１８が離接する。多孔質ローラ１８による溶媒吸収を行う場合には、図５に示すように多孔質ローラ１８の外周面を記録媒体２０に接触した状態にする一方で、多孔質ローラ１８による溶媒吸収を行わない場合には、図６に示すように多孔質ローラ１８の外周面を記録媒体２０から離間した状態にする。
【００８１】
なお、回転モータ２１３の駆動を制御することにより、多孔質ローラ１８と記録媒体２０とのクリアランスを切り換えることや、多孔質ローラ２８を記録媒体２０に押し当てるとともにその押し当て圧力を切り換えることを行うようにしてもよい。
【００８２】
〔溶媒気化部の構造〕
次に、ハロゲンヒータ１９からなる溶媒気化部の構造例について、図７を用いて説明する。
【００８３】
図７は、記録媒体２０上の液体溶媒の気化を行う状態のハロゲンヒータ１９を示す斜視透視図である。
【００８４】
図７において、ハロゲンヒータ１９は、熱を発生させる複数のハロゲンランプ１９１（１９１ａ、１９１ｂ、１９１ｃ、１９１ｄ、１９１ｅ）と、ハロゲンランプ１９１から発せられた熱を記録媒体２０に向けて反射する反射板１９２によって構成されている。各ハロゲンランプ１９１は、長手方向の長さが記録媒体２０の幅（主走査方向の長さ）よりも長く、その長手方向が記録媒体２０の搬送方向（副走査方向）に対して略垂直な方向となるように配設されている。記録媒体２０が複数のハロゲンランプ１９１及び反射板１９２と対向しながら搬送ベルト４３によって搬送される間に、これらの複数のハロゲンランプ１９１及び反射板１９２によって記録媒体２０は均一かつ効率良く加熱され、記録媒体２０上の液体が均一かつ十分に気化することになる。
【００８５】
［不溶化の具体例］
不溶化の具体例について、図８乃至図１０を用いて説明する。
【００８６】
図８は、記録媒体２０上に処理液及びインクを付着させたときの様子の一例を示す模式図である。ここで、記録媒体２０は、インクの色材が内部に浸透しない媒体であるものとして図示されている。
【００８７】
まず、図８（ａ）に示されるように、記録媒体２０の注目位置２０１が搬送路上で処理液が打滴される位置（処理液打滴位置）に到達したとき、記録媒体２０に対して処理液の液滴９０が打滴されて、図８（ｂ）に示されるように、記録媒体２０の注目位置２０１に処理液の液滴９０が付着する。
【００８８】
次に、図８（ｃ）に示されるように、記録媒体２０の注目位置２０１が搬送路上でインクが打滴される位置（インク打滴位置）まで到達したとき、記録媒体２０の注目位置２０１に対してインクの液滴９２が打滴される。なお、記録媒体２０の注目位置２０１には既に処理液の液滴９０が打滴されているので、この処理液の液滴９０と、新たに記録媒体２０に打滴されたインクの液滴９２とが反応して、図８（ｄ）に示されるように、インク内の色材９７と溶媒９９とがほぼ２分されるように分離する。
【００８９】
図５に示されるように多孔質ローラ１８が吸収位置に設定されている場合には、図８（ｅ）に示されるように、記録媒体２０上の溶媒９９の一部が多孔質ローラ１８の外周面に吸収される。
【００９０】
さらに、図７に示されるように、ハロゲンヒータ１９に対向するように記録媒体２０が搬送されることにより、図８（ｆ）に示されるように、記録媒体２０上の溶媒９９がハロゲンヒータ１９により加熱されて気化する。そうすると、色材９７が記録媒体２０の表面に定着した状態となる。
【００９１】
なお、図６に示されるように多孔質ローラ１８が非吸収位置に設定されている場合には、多孔質ローラ１８による溶媒吸収は行われず、ハロゲンヒータ１９による溶媒気化のみ行われる。
【００９２】
図９は、記録媒体２０上に処理液及びインクを付着させたときの様子の他の例を示す模式図である。ここで、記録媒体２０は、インクの色材が浸透する媒体であるものとして図示されている。
【００９３】
まず、図９（ａ）に示されるように、処理液の液滴９０が記録媒体２０の注目位置２０１に打滴され、図９（ｂ）に示されるように、記録媒体２０の注目位置２０１に処理液の液滴９０が付着する。また、図９（ｃ）に示されるように、インクの液滴９２が記録媒体２０の注目位置２０１に打滴され、記録媒体２０上で処理液の液滴９０とインクの液滴９２とが反応して、図９（ｄ）に示されるように、インク内の色材９７と溶媒９９とが２分されるように分離する。分離の開始と同時に記録媒体２０への色材９７の浸透も始まる。
【００９４】
図５に示されるように多孔質ローラ１８が吸収位置に設定されている場合には、図９（ｅ）に示されるように、記録媒体２０上の溶媒９９の一部が多孔質ローラ１８の外周面に吸収され、その後、図９（ｆ）に示されるように、記録媒体２０上の溶媒９９がハロゲンヒータ１９により加熱されて気化する。そうすると、色材９７が記録媒体２０の表面及び内部に定着した状態となる。
【００９５】
なお、図６に示されるように多孔質ローラ１８が非吸収位置に設定されている場合には、多孔質ローラ１８による溶媒吸収は行われず、ハロゲンヒータ１９による溶媒気化のみ行われる。
【００９６】
次に、インク及び処理液の２液（アニオン／カチオン）反応によってインク中の色材が不溶化する場合の詳細例について、図１０を用いて説明する。
【００９７】
記録媒体２０に打滴された処理滴９０とインク液滴９２との混合液滴９４Ａは、図１０に示した例では、２液反応によって、負に帯電した色材凝集物９６を含んだ混合液滴９４Ｂに変化する。そして、混合液滴９４Ｂ中の色材凝集物９６は下方に沈降し、混合液滴９４Ｂは、色材凝集物９６から成る色材層９７と溶媒９８から成る溶媒層９９に分離された混合液滴９４Ｃに変化する。
【００９８】
一方で、搬送ベルト４３は、色材凝集物９６と逆の極性（すなわち正）に帯電している。このように搬送ベルト４３を色材凝集物９６と逆の極性に帯電させることにより、色材凝集物９６は搬送ベルト４３に引き寄せられるように静電引力が作用するので、色材凝集物９６の沈降をより一層促進することができ、色材９６と溶媒９８を確実に分離することができる。
【００９９】
多孔質ローラ１８Ｋの金属部材７０Ｋの電気的極性を制御することにより、多孔質部材７２Ｋへの溶媒吸収を制御するようにしてもよい。
【０１００】
[溶媒吸収の要否判定]
次に、記録媒体２０からの溶媒吸収を行う否かの判定例について説明する。
【０１０１】
まず、溶媒吸収の要否判定の第１の態様について主として図１１を用いて説明する。
【０１０２】
図１１に示す第１の判定基準情報テーブル１１２１は、記録媒体の種類を識別する記録媒体ＩＤ１１３０と、記録媒体の種類ごとに非浸透／浸透を示す浸透速度情報１１５１からなる。このような第１の判定基準情報テーブル１１２１をメモリ１１２に予め記憶しておく。ここで、非浸透／浸透とは、所定のインクの記録媒体に対する所定面積当たりの浸透速度が所定の閾値以下の記録媒体を「非浸透」とし、その閾値より大きな記録媒体を「浸透」として分類したものである。言い換えると、所定のインクの記録媒体に対する所定面積当たりの浸透時間が所定の閾値よりも大きな記録媒体を「非浸透」とし、その閾値以下の記録媒体を「浸透」として分類したものである。例えば、表面張力が３０ｍＮ／ｍであって、粘度が３ｃＰの水性溶液を２ｐｌ滴下したときの浸透時間が１００ｍｓよりも大きな記録媒体を「非浸透」とし、１００ｍｓ以下の記録媒体を「浸透」に分類している。
【０１０３】
第１の判定基準情報テーブル１１２１には、複数の記録媒体について記録媒体ＩＤ１１３０（「ｐ００１」、「ｃ００１」など）及び浸透速度情報１１５１（「非浸透」、「浸透」）を予め登録しておく。例えば、特定のインクジェット用紙（印刷用紙）や特定の複写機用ＯＨＰシート等は非浸透性の媒体に分類し、特定の複写機用紙（コピー用紙）や特定のインクジェット用ＯＨＰシート等は浸透性の媒体に分類して、登録しておく。そして、記録媒体ＩＤ入力部１１３に入力された記録媒体ＩＤに対応する浸透速度情報１１５１をメモリ１１２から読み出す。例えば、「非浸透」の記録媒体については、さらにインク及び処理液の打滴量を所定の閾値（例えばＡ４相当の面積で１．５ｍｌ）と比較して、打滴量が閾値を超える場合には溶媒吸収を行うと判定し、打滴量が閾値以下の場合には溶媒吸収を行わないと判定する。一方で、「浸透」の記録媒体は、打滴量に関わらず溶媒吸収を行わないと判定する。
【０１０４】
このような浸透／非浸透の判定は、印刷（画像形成）の開始前に、例えば印刷しようとしている記録媒体の種類が入力されたとき、判定するようにしてもよい。
【０１０５】
溶媒吸収の要否判定の第２の態様について主として図１２を用いて説明する。
【０１０６】
図１２に示す第２の判定基準情報テーブル１１２２は、記録媒体の種類を識別する記録媒体ＩＤ１１３０と、インクの種類を識別するインクＩＤ１１４０と、記録媒体ＩＤ１１３０及びインクＩＤ１１４０の組み合わせごとの浸透時間１１５２からなる。このような第２の判定基準情報テーブル１１２２をメモリ１１２に予め記憶しておく。ここで、浸透時間１１５２とは、所定量のインクを記録媒体に滴下したときの浸透時間（浸透速度の逆数に相当する）を示す。第２の判定基準情報テーブル１１２２には、複数の記録媒体及びインクの組み合わせについて記録媒体ＩＤ１１３０、インクＩＤ１１４０及び浸透時間１１５２を予め登録しておく。そして、記録媒体ＩＤ入力部１１３に入力された記録媒体ＩＤとインクＩＤ入力部１１４に入力されたインクＩＤとが示す記録媒体及びインクの組み合わせに対応する浸透時間１１５２をメモリ１１２から読み出す。例えば、浸透時間が所定の閾値を超える場合には「非浸透」と判定し、さらに打滴量の判定を行って溶媒吸収の要否を判定する。一方で、浸透時間が所定の閾値以下の場合には「浸透」と判定し、溶媒吸収を行わないと判定する。
【０１０７】
溶媒吸収の要否判定の態様は、これらの態様に限定されるものではない。例えば、インクの種類ごとに表面張力及び粘度をメモリ１１２に予め記憶しておく一方で、記録媒体の種類ごとに非浸透／浸透を判定するための表面張力の判定基準値及び粘度の判定基準値をメモリ１１２に予め記憶しておく。実際に画像形成する前に、インクＩＤ入力部１１４に入力されたインクＩＤに対応するインクの表面張力及び粘度をメモリ１１２から読み出すとともに、記録媒体ＩＤ入力部１１３に入力された記録媒体ＩＤに対応する表面張力の判定基準値及び粘度の判定基準値をメモリ１１２から読み出す。そして、実際に使用するインクの表面張力及び粘度と、実際に使用する記録媒体の判定基準値とを比較して、溶媒吸収の要否を判定する。
【０１０８】
なお、記録媒体及びインクの組み合わせが固定である画像形成条件では、打滴量のみに基づいて溶媒吸収の要否を判定するようにしてもよい。
【０１０９】
例えば、画像形成に係る画像データに基づいて、インク打滴ヘッド１２により記録媒体に付着する単位面積当たりのインクの量及び処理液打滴ヘッド１６により記録媒体に付着する単位面積当たりの処理液の量の少なくとも一方を算出し、その算出した量が所定の閾値を超える場合には、溶媒吸収を行うと判定し、閾値以下の場合には、溶媒吸収を行わないと判定する。
【０１１０】
［画像形成処理の全体の流れ］
図１３は、本実施形態の画像形成装置１０における画像形成処理の一例の流れを示すフローチャートである。この画像形成処理の各ステップは、所定のプログラムに従って主制御部１１０の統括制御により実行される。
【０１１１】
予め、インクＩＤ入力部１１４によってインクＩＤを読み取っておく（Ｓ２）。
【０１１２】
また、予め、記録媒体ＩＤ入力部１１３によって記録媒体ＩＤを読み取っておく（Ｓ４）。
【０１１３】
ホストコンピュータ３００から画像形成装置１０に画像データが入力されると（Ｓ６）、この画像データに基づいて、インクの打滴により記録媒体に付着するインクの付着量、及び、処理液の打滴により記録媒体に付着する処理液の付着量を算出する（Ｓ８）。
【０１１４】
なお、インクのうち色材は実際には記録媒体２０に定着することから、インクの付着量として、インク全体の量を算出するのではなく、インクのうち溶媒のみの量を算出してもよいことは言うまでもない。
【０１１５】
また、インクの付着量及び処理液の付着量の両方を算出する場合を例に説明したが、実際には、インクの付着量のみ、あるいは、処理液の付着量のみを算出する場合もある。例えば、インクの不溶化後に記録媒体上に残る処理液の量がインクの溶媒の量に対して無視し得る程度である場合には、インクの付着量（あるいは溶媒量）のみを算出してもよい。また、インクの不溶化後に記録媒体上に残る処理液の量に対してインクの溶媒の量を無視し得る場合には、処理液の付着量のみを算出してもよい。
【０１１６】
次に、記録媒体２０を処理液打滴ヘッド１６に対して相対的に移動し、処理液打滴ヘッド１６によって記録媒体２０に対して処理液を打滴させ（Ｓ１０）、記録媒体２０をインク打滴ヘッド１２に対して相対的に移動し、インク打滴ヘッド１２によって記録媒体２０に対してインクを打滴させる（Ｓ１２）。
【０１１７】
また、記録媒体２０に付着した液体（主としてインクの溶媒）を多孔質ローラ１８によって吸収するか否かの判定（溶媒吸収の要否判定）を行う（Ｓ１４）。
【０１１８】
具体的には、第１に、記録媒体に対するインクの浸透速度が所定の閾値（浸透速度閾値）よりも大きいか否かを判定する（Ｓ１４１）。言い換えると、記録媒体が非浸透性の媒体（すなわち浸透速度が所定の閾値以下の媒体）であるか、それとも浸透性の媒体（すなわち浸透速度が所定の閾値よりも大きい媒体）であるかを判定する。
【０１１９】
また、第２に、記録媒体へのインクの打滴量及び処理液の打滴量が所定の閾値（打滴量閾値）よりも大きいか否かを判定する（Ｓ１４２）。
【０１２０】
ここでは、インクの打滴量及び処理液の打滴量の両方を判定基準として判定する場合を例に説明したが、インクの打滴量及び処理液の打滴量のいずれか一方を判定基準に判定する場合もある。
【０１２１】
溶媒吸収の要否判定（Ｓ１４）の結果、記録媒体が非浸透性の媒体（浸透速度が閾値以下の媒体）であって、かつ、打滴量が所定の閾値よりも大きい場合には、図５に示すように溶媒吸収用の多孔質ローラ１８を下げて吸収位置に設定し、記録媒体上の液体（主としてインクの溶媒）を多孔質ローラ１８に吸収させる（Ｓ１６）。一方で、記録媒体が浸透性の媒体（浸透速度が閾値よりも大きい媒体）である場合、あるいは、記録媒体が非浸透性の媒体であっても打滴量が所定の閾値以下である場合には、図６に示すように溶媒吸収用の多孔質ローラ１８を上げて非吸収位置に設定し、多孔質ローラ１８による溶媒吸収は行わないようにする（Ｓ１８）。
【０１２２】
次に、図７に示すようにハロゲンヒータ１９によって記録媒体２０を加熱することにより記録媒体２０上の液体（主としてインクの溶媒である）を気化させる（Ｓ２０）。
【０１２３】
画像形成終了であるか、それとも次の画像形成を行うか否かを判定し（Ｓ２２）、次の画像形成を行う場合には、さらに同じ画像を形成するか否かを判定する（Ｓ２４）。
【０１２４】
同じ画像をさらに形成する場合には、画像データの入力（Ｓ６）及び付着量の算出（Ｓ８）は不要なので、処理液の打滴（Ｓ１０）、インクの打滴（Ｓ１２）、及び、溶媒吸収の要否判定（Ｓ１４）を行い、溶媒吸収要と判定した場合には多孔質ローラ１８による溶媒吸収（Ｓ１６）とハロゲンヒータ１９による溶媒気化（Ｓ２２）とを行う一方で、溶媒吸収不要と判定した場合には多孔質ローラ１８による溶媒吸収は行わないで（Ｓ１８）、ハロゲンヒータ１９による溶媒気化のみを行う（Ｓ２２）。
【０１２５】
異なる画像を形成する場合には、新たな画像データの入力（Ｓ６）及びその画像データに基づく打滴量の算出（Ｓ８）を行った後、処理液の打滴（Ｓ１０）、インクの打滴（Ｓ１２）、及び、溶媒吸収の要否判定（Ｓ１４）を行い、溶媒吸収要と判定した場合には多孔質ローラ１８による溶媒吸収（Ｓ１６）とハロゲンヒータ１９による溶媒気化（Ｓ２２）とを行う一方で、溶媒吸収不要と判定した場合には多孔質ローラ１８による溶媒吸収は行わないで（Ｓ１８）、ハロゲンヒータ１９による溶媒気化のみを行う（Ｓ２２）。
【０１２６】
なお、図１３に示す例では、溶媒除去選択手段として、多孔質ローラ１８を記録媒体２０に対して離接させることにより多孔質ローラ１８を用いるか否かの制御を行う場合について説明したが、さらに多孔質ローラ１８を用いる場合には多孔質ローラ１８と記録媒体２０とのクリアランスについても調整するようにしてもよい。具体的には、多孔質ローラ１８の位置を下げるステップ（Ｓ１６）において、記録媒体２０へのインクの浸透速度及び打適量の少なく一方に基づいて、多孔質ローラ１８の外周面と記録媒体２０とのクリアランスを調整するように、上下動部材２１４によって多孔質ローラ１８の上下位置を調整する。また、必要に応じて、多孔質ローラ１８を記録媒体２０に圧接するようにしてもよい。
【０１２７】
また、図１３に示す例では、記録媒体の搬送速度の切り換えを行わなかったが、記録媒体２０へのインクの浸透度及び打適量に基づいて、記録媒体２０と多孔質ローラ１８の外周面との単位面積当たりの接触時間を調整するように、搬送ベルト４３による記録媒体２０の搬送速度を切り換える。
【０１２８】
また、同一の多孔質ローラ１８によって溶媒吸収を行う場合について説明したが、記録媒体へのインクの浸透度及び打適量に基づいて、多孔質部材の孔の径又は材質が異なる複数種類の多孔質ローラ１８の中から、実際に溶媒吸収に用いる多孔質ローラ１８を選択するようにしてもよい。
【０１２９】
［他の実施形態］
以上、本発明についての理解を容易にするため、ひとつの色（例えば黒）のインクを記録媒体２０に対して打滴する場合を例に画像形成装置を説明してきたが、カラー画像を記録媒体２０に形成するためには、実際には複数色のインクを記録媒体２０に対して打滴する必要がある。
【０１３０】
図１４は、イエロ（Ｙ）、シアン（Ｃ）、マゼンタ（Ｍ）、黒（Ｋ）の４色のインクを記録媒体２０に対して打滴可能な画像形成装置１０であって、Ｙ、Ｃ、Ｍ、Ｋの各色のインクごとに処理液を打滴するように構成した画像形成装置１０の要部を示す。
【０１３１】
図１４において、各インク打滴ヘッド１２Ｋ、１２Ｍ、１２Ｃ、１２Ｙの上流側に、それぞれ処理液打滴ヘッド１６Ｋ、１６Ｍ、１６Ｃ、１６Ｙを配置してある。また、各インク打滴ヘッド１２Ｋ、１２Ｍ、１２Ｃ、１２Ｙの下流側に、それぞれ多孔質ローラ１８Ｋ、１８Ｍ、１８Ｃ、１８Ｙを配置してある。具体的には、記録媒体は、駆動ローラ４１、４２によって駆動される搬送ベルト４３上を、第１の処理液打滴ヘッド１６Ｋによる打滴位置、第１のインク打滴ヘッド１２Ｋによる打滴位置、第１の多孔質ローラ１８Ｋによる吸収位置、第２の処理液打滴ヘッド１６Ｍによる打滴位置、第２のインク打滴ヘッド１２Ｍによる打滴位置、第２の多孔質ローラ１８Ｍによる吸収位置、第３の処理液打滴ヘッド１６Ｃによる打滴位置、第３のインク打滴ヘッド１２Ｃによる打滴位置、第３の多孔質ローラ１８Ｃによる吸収位置、第４の処理液打滴ヘッド１６Ｙによる打滴位置、第４のインク打滴ヘッド１２Ｙによる打滴位置、第４の多孔質ローラ１８Ｙによる吸収位置、及び、ハロゲンヒータ１９による気化位置の順に搬送される。
【０１３２】
図１５は、Ｙ、Ｃ、Ｍ、Ｋの４色のインクを記録媒体２０に対して打滴可能な画像形成装置１０であって、Ｙ、Ｃ、Ｍ、Ｋの各色のインクを打滴する前に処理液を一括して記録媒体２０に打滴するように構成した画像形成装置１０の要部を示す。
【０１３３】
図１５において、記録媒体２０の搬送方向において黒色（Ｋ）のインク用のインク打滴ヘッド１２Ｋの上流側（図１５内の右側）に処理液打滴ヘッド１６を１個のみを配置してある。また、記録媒体２０の搬送方向において黄色（Ｙ）のインク用のインク打滴ヘッド１２Ｙの下流側（図１５内の左側）に多孔質ローラ１８を一個のみ配置してある。具体的には、記録媒体は、駆動ローラ４１、４２によって駆動される搬送ベルト４３上を、処理液打滴ヘッド１６による打滴位置、第１のインク打滴ヘッド１２Ｋによる打滴位置、第２のインク打滴ヘッド１２Ｍによる打滴位置、第３のインク打滴ヘッド１２Ｃによる打滴位置、第４のインク打滴ヘッド１２Ｙによる打滴位置、多孔質ローラ１８による吸収位置、及び、ハロゲンヒータ１９による気化位置の順に搬送される。
【０１３４】
図１６は、Ｙ、Ｃ、Ｍ、及び、Ｋの４色のインクを記録媒体２０に対して打滴可能な画像形成装置１０であって、Ｙ、Ｃ、Ｍ、Ｋの各色のインクを打滴する前に処理液を記録媒体２０に塗布するようにした画像形成装置１０の画像形成に係る要部を示す。
【０１３５】
図１６において、記録媒体２０の搬送方向において黒色（Ｋ）のインク用のインク打滴ヘッド１２Ｋの上流側（図１６内の右側）に処理液塗布ローラ１６’を１個のみを配置してある。また、記録媒体２０の搬送方向において黄色（Ｙ）のインク用のインク打滴ヘッド１２Ｙの下流側（図１６内の左側）に多孔質ローラ１８を一個のみ配置してある。具体的には、記録媒体は、駆動ローラ４１、４２によって駆動される搬送ベルト４３上を、処理液塗布ローラ１６’による付着位置、第１のインク打滴ヘッド１２Ｋによる打滴位置、第２のインク打滴ヘッド１２Ｍによる打滴位置、第３のインク打滴ヘッド１２Ｃによる打滴位置、第４のインク打滴ヘッド１２Ｙによる打滴位置、多孔質ローラ１８による吸収位置、及び、ハロゲンヒータ１９による気化位置の順に搬送される。
【０１３６】
なお、図１６に示す実施形態では、処理液の記録媒体２０への付着量として、処理液塗布ローラ１６’による記録媒体２０への処理液の塗布量を用いる。
【０１３７】
図１４に示した実施形態及び図１５に示した実施形態では、インクの打滴パターンに応じて処理液の吐出量を制御することで、処理液の消費量を低減することが可能となる一方で、図１６に示した実施形態では、処理液打滴ヘッドでは液滴吐出が困難な高粘度の処理液を記録媒体上に塗布することが可能となる。
【０１３８】
以上説明したように、記録媒体への浸透速度や打滴量に基づいて、多孔質ローラ１８により初期の溶媒除去を迅速に行った後にハロゲンヒータ１９により仕上げの溶媒除去を非接触で行い得る一方で、多孔質ローラ１８による溶媒吸収を行わないでハロゲンヒータ１９による気化のみにより溶媒除去を行い得るので、記録媒体に付着したインクの色材成分に影響を与えない程度で迅速に記録媒体から溶媒を除去することができる。
【０１３９】
例えば、溶媒吸収及び溶媒気化の両方を行う場合には、液滴の最大付着量Ｄｍａｘの半分程度を溶媒気化により行うように構成し、その溶媒気化よりも前に、必要に応じて溶媒吸収を行うようにする。
【０１４０】
ここで、最大付着量Ｄｍａｘは、所定面積の領域上にインクを打滴するときのインク及び処理液の付着量の最大値であり、一般に、２つの色（Ｃ、Ｍ、Ｙのうち２色）の中間色を所定面積の領域の全面に画像形成するときの付着量に等しい。例えば、Ａ４相当（２１０ｍｍ×２９７ｍｍ）の領域の全面にインクを打滴する場合、処理液が１．０ｍｌ、インクが２．０ｍｌ（各色１ｍｌずつ）の場合、合計の付着量は３．０ｍｌとなる。薄い色や、１色では、２色の場合と比較して、打滴量は小さくなる。なお、３色の重ね合わせを行う場合には、実際には黒インクを使用することにより、一般に、３．０ｍｌよりも少なくなる。
【０１４１】
そこで、溶媒気化部１９は、Ａ４相当の領域で最大付着量３．０ｍｌの半分の１．５ｍｌの液体を蒸発させる能力を有するものを用いる。ちなみに、水の気化熱は約２．３Ｊ／ｍｌなので、１．５ｍｌを気化させるのに必要な熱量は約３．５Ｊである。したがって、これよりも大きな熱量の熱源を用いればよいことになる。
【０１４２】
このような場合、溶媒除去選択部２１０は、非浸透性の媒体の場合、打滴量がＡ４相当で１．５ｍｌを超えるときには、溶媒吸収部１８及び溶媒気化部１９の両方により溶媒除去を行う一方で、１．５ｍｌ以下のときには溶媒吸収部１８を用いないで溶媒気化部１９のみにより溶媒除去を行うという選択を行う。また、溶媒除去選択部２１０は、浸透性の媒体の場合、打適量に関わらず、溶媒気化部１９のみにより溶媒除去を行う。
【０１４３】
なお、処理液として例えば下記のような水溶液を用いることができる。
【０１４４】
(処理液)
・第一工業製薬社製  シャロールＤＣ―９０２Ｐ  １〜２０重量％
・表面活性剤として、日信化学工業株式会社製  オルフィンＥ１０１０  ０．１〜１０重量％
以上を少なくとも含む水溶液であって、その他に
・高沸点溶媒として、グリセリン  ０〜３０重量％
・ｐＨ調整剤として、トリエタノールアミン  ０〜１０重量％
を含んでいてもよい。
【０１４５】
一方、色材を含むインクとして例えば下記のような水溶液を用いることができる。
【０１４６】
(インク)
・アニオン染料化合物であり、例えば下記の一般式に示す構造を有するもの  １〜３０重量％
【０１４７】
【化１】
2006212881.tif 000003
【０１４８】
【化２】
2006212881.tif 000004
【０１４９】
【化３】
2006212881.tif 000005
【０１５０】
・表面活性剤として、日信化学工業株式会社製  オルフィンＥ１０１０  ０．１〜１０重量％
・ポリスチレンスルホン酸ナトリウム  ０〜２０重量％
・高沸点溶媒として、グリセリン  ０〜３０重量％
・ｐＨ調整材として、トリエタノールアミン  ０〜１０重量％
を含んでいてもよい。
【０１５１】
以上、本発明の実施形態について詳細に説明したが、本発明は、以上の例には限定されず、本発明の要旨を逸脱しない範囲において、各種の設計変更や改良を行ってよいのはもちろんである。
【図面の簡単な説明】
【０１５２】
【図１】本発明の一実施形態の画像形成装置の全体構成を示すブロック図である。
【図２】画像形成装置の画像形成に係る要部の機構的な構成を示す模式図である。
【図３】打滴ヘッドの構造の一例を示す平面透視図である。
【図４】図３に示された打滴ヘッドの４−４線に沿った断面図である。
【図５】溶媒吸収部の一例の使用時の様子を示す斜視図である。
【図６】溶媒吸収部の一例の未使用時の様子を示す斜視図である。
【図７】溶媒気化部の一例を示す斜視透視図である。
【図８】記録媒体上に処理液及びインクを付着させたときの様子の一例を示す模式図である。
【図９】記録媒体上に処理液及びインクを付着させたときの様子の他の例を示す模式図である。
【図１０】色材の不溶化の一例の様子を詳細に示す模式図である。
【図１１】溶媒吸収の要否判定に用いる記録媒体情報テーブルの第１の例を示す説明図である。
【図１２】溶媒吸収の要否判定に用いる記録媒体情報テーブルの第２の例を示す説明図である。
【図１３】画像形成処理の一例の流れを示すフローチャートである。
【図１４】複数色のインクの各色ごとに処理液を打滴するように構成した画像形成装置の例の要部を示す構成図である。
【図１５】複数色のインクを打滴する前に一括して処理液を打滴するように構成した画像形成装置の例の要部を示す構成図である。
【図１６】処理液を塗布するように構成した画像形成装置の例の要部を示す構成図である。
【符号の説明】
【０１５３】
１０…画像形成装置、１２…インク打滴ヘッド、１６…処理液打滴ヘッド（処理液付着部）、１６’…処理液塗布ローラ（処理液付着部）、１８…多孔質ローラ（溶媒吸収部）、１９…ハロゲンヒータ（溶媒気化部）、２０…記録媒体、２６…搬送部、１１０…主制御部、１１１…画像データ入力部、１１２…メモリ、１１３…記録媒体ＩＤ入力部、１１４…インクＩＤ入力部、１１５…浸透度判定部、１１６…付着量算出部、１２０…インク打滴制御部、１６０…処理液打滴制御部、２１０…溶媒除去選択部、２１３…上下動用の回転モータ、２１４…上下動部材、３００…ホストコンピュータ、１１２１、１１２２…溶媒吸収要否の判定基準情報テーブル
【図１】
2006212881.tif 000006
【図２】
2006212881.tif 000007
【図３】
2006212881.tif 000008
【図４】
2006212881.tif 000009
【図５】
2006212881.tif 000010
【図６】
2006212881.tif 000011
【図７】
2006212881.tif 000012
【図８】
2006212881.tif 000013
【図９】
2006212881.tif 000014
【図１０】
2006212881.tif 000015
【図１１】
2006212881.tif 000016
【図１２】
2006212881.tif 000017
【図１３】
2006212881.tif 000018
【図１４】
2006212881.tif 000019
【図１５】
2006212881.tif 000020
【図１６】
2006212881.tif 000021